(57)【要約】【課題】  ドライブとメディアの組み合わせによって決まる記録品位の有効な検査手法を提供する。【解決手段】  各ドライブ２０−１〜２０−５ごとに、各種メディアの品位基準となる基準メディア１８を記録再生し、その結果得られた特性値に所定の係数を乗じて得られた閾値１〜５を各ドライブに設けられた所定の記憶領域にそれぞれ格納しておく。記録対象とするメディアに情報の記録を行う際には、該メディアをパワーまたはパルス幅の変化を伴う複数の記録条件を用いて記録再生し、その結果得られた複数の特性値から近似曲線を求め、前記近似曲線と前記閾値との位置関係で求められるマージン量に基づいて、前記メディアに対する記録品位の検査を行う。【選択図】  図６
2005322304.tif 000002
【特許請求の範囲】
【請求項１】
レーザ光のパルス照射により光記録メディアに情報の記録を行う光情報記録装置において、
前記光記録メディアを記録再生し、その結果得られた再生特性を所定の基準値と比較して記録マージンを求め、該記録マージンの大きさに基づいて記録品位を検査する手段を備えたことを特徴とする光情報記録装置。
【請求項２】
前記記録再生は、前記レーザ光のパワー条件および／または前記パルス照射のパルス条件の変更を伴うことを特徴とする請求項１記載の光情報記録装置。
【請求項３】
前記記録マージンは、前記記録再生により得られた複数の再生値を用いて前記光記録媒体の記録特性を近似し、該近似の結果から前記基準値を満たす大小２点のパワー値を導出し、これら各パワー値の差分量に応じて決定することを特徴とする請求項１記載の光情報記録装置。
【請求項４】
前記記録マージンは、前記記録再生により得られた複数の再生値を用いて前記光記録媒体の記録特性を近似し、該近似の結果と前記基準値との関係に応じて決定することを特徴とする請求項１記載の光情報記録装置。
【請求項５】
前記記録マージンは、前記記録再生により得られた複数の再生値のうち前記基準値に最も近い２点を選択し、これら２点がそれぞれ示す大小２点のパワー値の差分量に応じて決定することを特徴とする請求項１記載の光情報記録装置。
【請求項６】
前記記録マージンは、前記記録再生により得られた複数の再生値のうち前記基準値に最も近い２点を選択し、これら２点と前記基準値との関係に応じて決定することを特徴とする請求項１記載の光情報記録装置。
【請求項７】
前記記録マージンは、前記レーザ光のパワー上限値を考慮して決定することを特徴とする請求項１記載の光情報記録装置。
【請求項８】
レーザ光のパルス照射により光記録メディアに情報の記録を行う光情報記録装置において、
前記情報の記録を行う前に前記光記録メディアにテスト記録を行い、その結果を再生して得られた再生特性を所定の基準値と比較して記録マージンを求め、該記録マージンの大きさに基づいて記録品位を検査し、前記情報記録を実行する前に該検査の結果を報知する手段を備えたことを特徴とする光情報記録装置。
【請求項９】
レーザ光のパルス照射により光記録メディアに情報の記録を行う光情報記録装置において、
前記情報の記録を行う前に前記光記録メディアにテスト記録を行い、その結果を再生して得られた再生特性を所定の基準値と比較して記録マージンを求め、該記録マージンの大きさに基づいて記録品位を検査し、該検査の結果に応じて前記情報の記録を行う際の記録条件を決定することを特徴とする光情報記録装置。
【請求項１０】
レーザ光のパルス照射により光記録メディアに情報の記録を行う光情報記録装置において、
前記情報の記録を行う前に前記光記録メディアにテスト記録を行い、その結果を再生して得られた再生特性を所定の基準値と比較して記録マージンを求め、該記録マージンの大きさに基づいて記録品位を検査し、該検査の結果、当該メディアに記録を行うことが適切と判断した場合には、前記テスト記録を行った条件に基づいて前記情報記録の記録条件を決定し、当該メディアに記録を行うことが不適切と判断した場合には、その旨を報知することを特徴とする光情報記録装置。
【請求項１１】
レーザ光のパルス照射により光記録メディアに情報の記録を行う光情報記録装置において、
前記情報の記録を行う前に前記光記録メディアにテスト記録を行い、その結果を再生して得られた再生特性を所定の基準値と比較して記録マージンを求め、該記録マージンの大きさに基づいて記録品位を検査し、該検査の結果、当該メディアに記録を行うことが適切と判断した場合には、前記テスト記録を行った条件に基づいて前記情報記録の記録条件を決定し、当該メディアに記録を行うことが不適切と判断した場合には、所定の対策を施すことを特徴とする光情報記録装置。
【請求項１２】
前記対策は、前記情報の記録を行う際の記録パワーおよび／またはパルス幅条件の変更を含む請求項１１記載の光情報記録装置。
【請求項１３】
前記対策は、所望の記録品位が得られるまで前記テスト記録を繰り返し、その結果得られた記録条件に基づいて前記情報の記録を行うことを含む請求項１１記載の光情報記録装置。
【請求項１４】
前記対策は、前記情報の記録を行う際の記録速度の低下を含む請求項１１記載の光情報記録装置。
【請求項１５】
レーザ光のパルス照射により光記録メディアに情報の記録を行う光情報記録装置において、
前記光記録メディアを記録再生し、その結果得られた再生特性を所定の基準値と比較して記録マージンを求め、該記録マージンの大きさに基づいて記録品位を検査し、該検査の結果を学習する手段を備えたことを特徴とする光情報記録装置。
【請求項１６】
前記学習は、前記記録品位と該記録品位が得られた記録条件とを関連づけて記憶する手段を含む請求項１５記載の光情報記録装置。
【請求項１７】
前記学習は、前記記録品位が得られたメディアの固有情報を記憶する手段を含む請求項１５記載の光情報記録装置。
【請求項１８】
前記学習は、前記記録品位が得られたメディアに対して、本装置の固有情報を記憶させる手段を含む請求項１５記載の光情報記録装置。
【請求項１９】
前記光記録メディアに対して記録再生を行う前に、前回学習した結果に基づいて前記記録品位の検査を行うことを特徴とする請求項１５記載の光情報記録装置。
【発明の詳細な説明】
【技術分野】
【０００１】
この発明は、光ディスク記録装置等の光情報記録装置に関し、特に、記録品位の有効な検査手段を備えた光情報記録装置に関する。
【背景技術】
【０００２】
ＣＤ−ＲやＤＶＤ−Ｒ等に代表される光情報記録媒体（以下、「メディア」という）の記録においては、記録対象となるメディアと記録に使用する記録装置（以下、「ドライブ」という）との相性が個々の組み合わせにより異なる。この原因としては、メディアを構成する記録材料の種類の違いや製造時の成膜バラツキにより最適な記録条件が変化するといったメディア側の要因と、ドライブを構成するピックアップや半導体レーザの種類の違いや製造時の組立バラツキにより最適な条件が変化するといったドライブ側の要因が考えられ、実際はこれらの複合要因として各組み合わせに適した記録条件が存在する。
【０００３】
そこで、従来は、メディア側に当該メディアの種類がドライブ側から識別可能なＩＤ情報を格納しておくとともに、ドライブ側にはメディアの種類ごとに予め用意された記録条件を格納しておき、実際の記録を行う場合には、ドライブに装填されたメディアから当該メディアのＩＤ情報を読み込み、当該ＩＤ情報と関連づけられた記録条件を使用するといった手法が使用されている。
【０００４】
しかし、この従来の手法では、予め検証された既知のメディアに対しては、ある程度適正のある記録条件が選択できるが、検証されていない未知のメディアに対しては、用意された記録条件では、対応しきれない場合もあり、また、既知のメディアであっても記録環境の変化、例えば、記録速度、外乱、経時変化によっては、用意された記録条件では対応できない場合があった。
【０００５】
このような記録困難なケースへの対応を図った手法としては、下記文献に記載された手法が知られている。
【特許文献１】特開２００３−３３１４２７号公報  この特許文献１には、エラーレイトやジッタ値を記録品位の検査指標として用いることで、データが読めなくなる条件での記録を回避する手法が開示されている。
【０００６】
具体的には、同文献の段落００６８に記載されたように、「データ信号の品位は記録パワーやストラテジ調整量に依存し、品位が最良となる最適な記録パワーやストラテジ調整量がある」という点に着目し、同文献の段落００６９に記載されたように、「それぞれのストラテジ調整値毎にデータ信号の品位をチェックすることによって、データが読めなくなるような課題な記録パワーによる記録を防止できる」ことを開示している。
【０００７】
また、エラーレイトを記録品位の検査指標とした例については、同文献の段落００７０に記載されたように、「複数のストラテジ調整量毎に最適記録パワーを求めて、その最適記録パワーで複数のアドレスに及ぶ一定区間の記録を行い、その一定区間のデータ信号のエラーレイトを評価する。そしてそのエラーレイトが悪い場合にはそのストラテジ調整量と最適パワーの組み合わせの設定では記録しないようにすることで、データが読めなくなることを防止できる。」との開示がある。
【０００８】
また、ジッタを記録品位の検査指標とした例については、同文献の段落００７１に記載されたように、「複数のストラテジ調整量毎に最適記録パワーを求めて、その最適記録パワーで一定区間の記録を行い、その一定区間の再生信号のジッタ値を測定する。その再生信号の値が所定値より大きい場合には、そのストラテジ調整量と最適パワーの組み合わせの設定では記録しないようにすることで、記録によるアドレス情報が読めなくなることを防止できる。」との開示がある。
【０００９】
エラーレイトやジッタを品位指標とした理由については、同文献の段落００６９に記載されたように、「一般的にＣＤ−Ｒではβ値、ＣＤ−ＲＷでは変調度ｍを用いてそれぞれ最適記録パワーを決定するが、この方法では必ずしも最良な状態で記録されるとは限らない」点に言及している。
【００１０】
以上の特徴を備えた特許文献１の手法によれば、同文献中にも記載されたように、データが読めなくなるような条件での記録が防止でき、ＰＣＡ領域の節約にもなるといった効果が期待できる。
【００１１】
しかし、この手法では、品位検査としての精度が十分でなく、より厳しい記録環境となるドライブとメディアの相性を評価する指標としては不十分であった。確かに、エラーレイトやジッタ値は、β値や変調度よりも品位検査指標としては適しており、エラーレイトについては、単にデータが読めるか読めないかだけはなく、複数のアドレスについて統計的に評価する手段も開示しているが、より限界に近いドライブとメディアの相性を引き出すには至っていない。
【発明の開示】
【発明が解決しようとする課題】
【００１２】
そこで、本発明は、ドライブとメディアの組み合わせによって決まる記録品位の有効な検査手法を提供する。
【課題を解決するための手段】
【００１３】
上記目的を達成するため、本発明の第１の手段は、レーザ光のパルス照射により光記録メディアに情報の記録を行う光情報記録装置において、前記光記録メディアを記録再生し、その結果得られた再生特性を所定の基準値と比較して記録マージンを求め、該記録マージンの大きさに基づいて記録品位を検査する手段を備えたことを特徴とする。
【００１４】
ここで、記録マージンとは、所定の再生基準を満たす記録条件の範囲を意味し、例えば、ジッタ値を再生基準の指標とし、記録条件をレーザ光のパワーとパルス幅で定義する場合には、ジッタ値が所定の閾値以下となるパワーの範囲、即ち、パワーマージンと、パルス幅の範囲、即ち、パルスマージンとが記録マージンに該当する。再生基準の指標としては、ジッタの他、エラーレイトを用いても良く、また、精度は悪くなるが、β値や変調度といった特性指標を用いても良い。
【００１５】
このように、記録マージンを基準として記録品位の検査を行う手法は、単に基準値を満たすか否かといった基準で検査を行う手法に比べて、より精密な評価が可能になる。
【００１６】
また、前記記録再生は、前記レーザ光のパワー条件および／または前記パルス照射のパルス条件の変更を伴っても良く、このように複数の条件で記録再生を行うことにより、より的確な品位評価が可能になる。
【００１７】
記録マージンは、前記記録再生により得られた複数の再生値を用いて前記光記録媒体の記録特性を近似し、該近似の結果から前記基準値を満たす大小２点のパワー値を導出し、これら各パワー値の差分量に応じて決定しても良く、前記記録再生により得られた複数の再生値を用いて前記光記録媒体の記録特性を近似し、該近似の結果と前記基準値との関係に応じて決定しても良く、前記記録再生により得られた複数の再生値のうち前記基準値に最も近い２点を選択し、これら２点がそれぞれ示す大小２点のパワー値の差分量に応じて決定しても良く、前記記録再生により得られた複数の再生値のうち前記基準値に最も近い２点を選択し、これら２点と前記基準値との関係に応じて決定しても良く、前記レーザ光のパワー上限値を考慮して決定しても良い。
【００１８】
また、本発明の第２の手段は、レーザ光のパルス照射により光記録メディアに情報の記録を行う光情報記録装置において、前記情報の記録を行う前に前記光記録メディアにテスト記録を行い、その結果を再生して得られた再生特性を所定の基準値と比較して記録マージンを求め、該記録マージンの大きさに基づいて記録品位を検査し、前記情報記録を実行する前に該検査の結果を報知する手段を備えたことを特徴とする。
【００１９】
ここで、報知の態様としては、ユーザに対する警告、記録条件や品位の告知、記録適否の通知、メディアの交換が推奨される旨の通知、ユーザに対する対処や判断の要求、当該品位が得られた原因の通知、記録動作の停止等が含まれる。
【００２０】
より具体的には、ディスク回転数の変更、ドライブの機械的動作、ブザー、メロディ、音声等の聴覚的手法でユーザに対して報知する方法、ディスクトレーの開閉、点滅、点灯、ＬＥＤの変更等のアクセスランプの表示変更、本ドライブに設けられたディスプレイへの表示等の視覚手法でユーザに対して報知する方法を採用することが可能である。
【００２１】
また、ドライブのコマンド発行タイミングに合わせてエラー信号を出力する等の電気信号の出力により、本ドライブが接続されたコンピュータに通知する方法や、外部ディスプレイへの表示、メディアへの特定情報の書き込み、外部スピーカからの音声出力等、様々な報知手法が適用可能である。
【００２２】
このように、記録品位の検査結果を報知することにより、当該メディアがどの程度のマージンで記録可能かを知ることができるため、より安定した条件での記録が可能になる、また、ユーザにとっては、当該ドライブと相性の良いメディアを知ることができるため、自己の所有するドライブに適したメディアを選択することで、厳しい条件下での記録を回避することが可能になる。
【００２３】
また、本発明の第３の手段は、レーザ光のパルス照射により光記録メディアに情報の記録を行う光情報記録装置において、前記情報の記録を行う前に前記光記録メディアにテスト記録を行い、その結果を再生して得られた再生特性を所定の基準値と比較して記録マージンを求め、該記録マージンの大きさに基づいて記録品位を検査し、該検査の結果に応じて前記情報の記録を行う際の記録条件を決定することを特徴とする。
【００２４】
このように、記録マージンを用いて得られた高精度な品位検査の結果に応じて、最適な記録条件を決定することで、より厳しい記録環境に対応することが可能になる。
【００２５】
また、本発明の第４の手段は、レーザ光のパルス照射により光記録メディアに情報の記録を行う光情報記録装置において、前記情報の記録を行う前に前記光記録メディアにテスト記録を行い、その結果を再生して得られた再生特性を所定の基準値と比較して記録マージンを求め、該記録マージンの大きさに基づいて記録品位を検査し、該検査の結果、当該メディアに記録を行うことが適切と判断した場合には、前記テスト記録を行った条件に基づいて前記情報記録の記録条件を決定し、当該メディアに記録を行うことが不適切と判断した場合には、その旨を報知することを特徴とする。
【００２６】
例えば、β値が−１０％以下であった場合、クロック周期に対してジッタが１３％以上であった場合、記録パルスの前端／後端の位相ずれが規定量以上であった場合、ランド３Ｔジッタが規定値より高い場合、ピット３Ｔジッタが規定値よりも高い場合、エラーレイトが規定値よりも高い場合に、当該メディアに記録を行うことが不適切と判断し、前述した報知を行うことで、不適切な条件での記録を回避する。
【００２７】
また、本発明の第５の手段は、レーザ光のパルス照射により光記録メディアに情報の記録を行う光情報記録装置において、前記情報の記録を行う前に前記光記録メディアにテスト記録を行い、その結果を再生して得られた再生特性を所定の基準値と比較して記録マージンを求め、該記録マージンの大きさに基づいて記録品位を検査し、該検査の結果、当該メディアに記録を行うことが適切と判断した場合には、前記テスト記録を行った条件に基づいて前記情報記録の記録条件を決定し、当該メディアに記録を行うことが不適切と判断した場合には、所定の対策を施すことを特徴とする。
【００２８】
前記対策としては、前記情報の記録を行う際の記録パワーおよび／またはパルス幅条件の変更を行っても良く、また、所望の記録品位が得られるまで前記テスト記録を繰り返し、その結果得られた記録条件に基づいて前記情報の記録を行っても良く、また、前記情報の記録を行う際の記録速度を低下させても良い。あるいは、閾値に対するマージン結果に基づいて、記録困難とユーザーに報知した場合であっても、ユーザーの意思に応じて、テスト記録を行ったメディアの特性に応じたレベルに閾値を変更し、最適記録条件を求めても良い。
【００２９】
このように、不適切な記録環境に対して所定の対策を施すことにより、記録ミスやデータの欠損等が防止でき、より安定した記録環境の提供が可能になる。
【００３０】
また、本発明の第６の手段は、レーザ光のパルス照射により光記録メディアに情報の記録を行う光情報記録装置において、前記光記録メディアを記録再生し、その結果得られた再生特性を所定の基準値と比較して記録マージンを求め、該記録マージンの大きさに基づいて記録品位を検査し、該検査の結果を学習する手段を備えたことを特徴とする。
【００３１】
前記学習としては、前記記録品位と該記録品位が得られた記録条件とを関連づけて記憶しても良く、また、前記記録品位が得られたメディアの固有情報を記憶しても良く、また、前記記録品位が得られたメディアに対して、本装置の固有情報を記憶させても良い。
【００３２】
このような学習を行うことにより、同条件での記録が想定される場合には、検査工程を省略することが可能になり、メディアのテスト記録領域も有効に利用できる。よって、前記光記録メディアに対して記録再生を行う前に、前回学習した結果に基づいて前記記録品位の検査を行うことが望ましい。
【発明の効果】
【００３３】
以上説明したように、本発明によれば、ドライブとメディアの相性を精度良く評価することが可能になるため、不適切な環境下での記録が回避できるとともに、従来手法では記録できなかった組み合わせへの対応も可能になる。また、従来手法では十分最適化できなかった記録条件に対しても、本手法では最適化が可能になる。
【発明を実施するための最良の形態】
【００３４】
以下、本発明に係る光情報記録装置を添付図面を参照して詳細に説明する。尚、本発明は、以下説明する実施形態に限らず適宜変更可能である。
【００３５】
図１は、本発明に係るドライブとメディアで構成された記録システムの全体構成を示すブロック図である。同図に示すように、この記録システムは、本発明に係るドライブ２０と、該ドライブを用いた記録の対象となるメディア１６とで構成される。メディア１６としては、ＣＤ−ＲやＤＶＤ−Ｒに代表される色素型メディアやＣＤ−ＲＷやＤＶＤ−ＲＷに代表される相変化型のメディア等の光情報記録媒体が適用可能である。
【００３６】
ドライブ２０は、同図に示すように、メディア１６に対するレーザ光照射の光学系を構成するピックアップ３０と、ピックアップ３０の制御位置等の幾何情報を検出するサーボ検出部３２と、ピックアップ３０で得られたＲＦ信号を検出するＲＦ検出部３４と、ピックアップ３０内に設けられたレーザダイオードを制御するＬＤコントローラ３６と、ＬＤコントローラ３６の制御条件や後述する閾値等が格納されたメモリ３８と、サーボ検出部３２の検出結果に基づいてピックアップ３０のトラッキングを行うトラッキング制御部４０と、ピックアップ３０のフォーカシングを行うフォーカス制御部４２とを具備する。
【００３７】
これらドライブ２０を構成する各要素については、当業者に周知の技術事項であるため、ここでは詳細な説明を省略する。
【００３８】
尚、本発明の主要部となる記録品位の検査に際しては、これら各要素のうち、ＬＤコントローラ３６とメモリ３８が特に関係し、ＬＤコントローラ３６は、メディア１６に照射するレーザの条件、即ち、記録パルスをピックアップ３０に出力することで、記録条件の制御を行い、メモリ３８には、記録パルスのパルスパターンやその他の諸条件が格納される。
【００３９】
図２は、本発明に係るドライブが実行する一連の手順を示すフローチャートである。同図に示すように、前述のドライブ２０は、該ドライブの初期設定を行うまでステップＳ１０〜Ｓ１４までを実行し、次に、テスト記録の条件を決めるまでのステップＳ１６〜Ｓ２２までを実行し、その後、決定した条件でテスト記録を行うステップＳ２４を実行し、その結果に基づいて本記録の条件を決定するステップＳ２６を実行し、この条件でメディア１６に情報を記録するステップＳ２８を実行する。以下、これら各ステップの詳細を説明する。
【００４０】
（基準条件の決定）
図２に示すステップＳ１０では、まず、任意の標準的なメディアを用いて記録速度を変化させながらテスト記録を行い、１つのパルス幅と３つのパワー値を基準条件として求める。３つのパワー値としては、上記テスト記録の結果、ジッタが最小となった値と、その前後に位置する２つのパワー値を用いることが望ましい。前後２つのパワー値としては、ジッタ良否の基準となる閾値近傍の値を用いることが好ましい。ここで求めた基準条件が後の記録品位検査の際に利用される。
【００４１】
（基準閾値の決定）
後述するように、本発明ではジッタ閾値以下の領域をテスト記録条件の範囲（以下、「テスト領域」という）として設定することを意図しているため、この判断基準となる閾値を決定する必要がある。閾値の値としては、ドライブやメディアの種類に応じて標準的な値を用意しておいても良いが、ジッタの許容領域のミニマムラインを示す閾値は、図１に示したピックアップ３０やその他の要素の状態によって変化し、また、メディアを記録する速度によっても変化する。
【００４２】
従って、この閾値も実際に使用するドライブとメディアの組み合わせごとに求め、より的確な判断基準を持たせることで、より的確なテスト領域の設定を行うことが推奨される。
【００４３】
もっとも、この閾値をドライブとメディアの組み合わせごとに設定することは、記録工程の増加要因にもなるため、ドライブ個体ごとのバラツキが閾値変動の主要因と仮定して、ドライブ製造時に個体ごとに適した閾値をメモリ３８に格納しておいても良い。
【００４４】
図３は、図２に示す基準閾値の決定ステップの詳細を示すフローチャートである。同図に示すように、基準閾値の決定は、所定の記録条件による記録再生を行い、その結果に基づいてシステムとしての基準値を決定し、該基準値から所定のマージンを確保した値をテスト領域決定の際に使用する閾値とすることで行われる。以下、各ステップを順に説明する。
【００４５】
まず、記録条件設定を行うステップＳ５０を実行し、このステップでは、パルス幅、パワー、記録再生速度、記録アドレス等の記録再生に必要な条件を所定のパターン用意し、この記録条件をドライブ２０に設定した後、該ドライブ内に基準メディアを装填する。基準メディアとしては、各種のメディアがある中から特性が標準的なものを選ぶことが望ましい。
【００４６】
次に、上記のステップＳ５０で設定した記録条件で装填した基準メディアに対して、記録と再生を行うステップＳ５２を実行し、各記録条件における記録再生特性値、例えばジッタを取得する。ここで取得する特性値としては記録品位を示す値を選択する。
【００４７】
続いて、上記ステップＳ５２で取得した記録再生特性値から最良の値、例えば、ジッタの最小値を求め、これをシステム基準値とするステップＳ５４を実行する。これにより、当該ドライブで最適値に近いと思われるジッタ値が基準値として設定される。尚、この基準値はジッタ最適点ではなく、所定の閾値と交差する２点の中間値、即ちパワーマージンの中間値としても良い。
【００４８】
最後に、上記ステップＳ５４で決定したシステム基準値に対して、所定の係数α（α＞１とすることが望ましい）を掛け合わせた値を閾値として算出するステップＳ５６を実行する。これにより、システム基準値に対して所定のマージンを持たせた形で判断が行われる。即ち、システム基準値を用いた閾値の算出は、閾値＝システム基準値×αで行われ、係数αとしては、およそ１．５程度の値を用いることが望ましい。尚、この係数αはドライブやメディアの種類に応じて適切な値を設定すれば良く、α＝０．８〜１．２のようにシステム基準値に近い値を設定しても良いし、α＝２．０〜３．０のように、大きめに設定しても良い。
【００４９】
図４は、図３に示したフローの一実施例を示す概念図である。同図に示す例は、記録品位を示す特性値としてジッタ値を用い、Ｗ１〜Ｗ４までの各パルス幅に対してパワーをＰ１〜Ｐ６まで変化させて、再生特性１０２−１〜１０２−４までを得たときの例である。同図に示す例では、パルス幅Ｗ１〜Ｗ４とパワーＰ１〜Ｐ６が記録条件となり、最も低いジッタ値が得られた再生特性１０２−３の極がシステム基準値となり、このシステム基準値に例えば１．５を乗じて得られた値が閾値となる。尚、同図中のマトリクス内に示された矢印はテスト条件を変化させる方向を示し、以下の説明においても同様の意味で使用する。
【００５０】
図５は、図３に示したフローの一実施例を示す概念図である。同図に示す例は、記録品位を示す特性値としてジッタ値を用い、Ｗ１〜Ｗ４までの各パルス幅ごとにパワーの変化範囲を変えて、再生特性１０２−１〜１０２−４までを得たときの例である。同図に示す例では、最も低いジッタ値が得られた再生特性１０２−２の極がシステム基準値となり、このシステム基準値に例えば１．５を乗じて得られた値が閾値となる。このように、閾値の決定は、パルス幅ごとにパワー条件を変更して求めることも可能である。
【００５１】
図６は、ドライブごとに閾値を求める場合の例を示す概念図である。ドライブの個体ばらつきに応じた閾値設定が所望される場合には、同図に示すように、各ドライブ２０−１〜２０−５のそれぞれで共通の基準メディア１８を記録再生し、各ドライブごとに固有の閾値１〜５を記憶させておく。
【００５２】
図７は、数台のドライブで求めた閾値の平均を他のドライブの閾値として設定する場合の例を示す概念図である。閾値の設定工程を簡易化したい場合は、同図に示すように、標準的なドライブ２０−１〜２０−５のそれぞれで共通の基準メディア１８を記録再生して得られた閾値１〜５の平均を取り、この平均閾値を他のドライブ２０−６〜２０−１０の閾値として使用する。
【００５３】
このとき、平均閾値を求めるために使用したドライブ２０−１〜２０−５は、同一設計のものでも、完全に同一設計ではなく類似設計のものであっても良い。また、これらドライブ２０−１〜２０−５の閾値として平均閾値を使用することも可能である。さらに、一度求めた平均閾値を、以後製造される同一または類似設計のドライブの閾値として汎用的に使用しても良い。また、バラツキを持った複数台のドライブを意図的に用意し、これらの平均値を求めてもよい。
【００５４】
（記録装置の初期設定）
以上説明した図２のステップＳ１０およびステップＳ１２で求めた基準条件と基準閾値をドライブ２０内のメモリ３８に格納するステップＳ１４を実行する。この工程はドライブ２０の製造時に行っておくことが望ましい。
【００５５】
（記録対象メディアの装填）
続いて、ステップＳ１４の初期設定が完了したドライブ２０内に、情報記録を行うメディア１６を装填するステップＳ１６を実行する。
【００５６】
（基準条件による記録再生）
次に、ステップＳ１４で設定した条件を用いて、ステップＳ１６で装填したメディア１６に記録を行うステップＳ１８を実行する。具体的には、基準条件として定義された１つのパルス幅と３種類のパワー値を用いて３回の記録再生を行い３点のジッタ値を得る。この３点のジッタ値をパワー軸との関係でプロットすると、ドライブ２０とメディア１６の組み合わせに応じた記録特性の傾向が明らかになる。
【００５７】
（記録品位の検査）
図８は、図２のステップＳ２０で実行した記録品位検査の結果、谷型パターンが得られた例を示す概念図である。同図に示すように、記録品位の検査は、前述までのステップで得られた各基準条件に対するジッタ値と閾値とを用いて行う。同図に示す例は、基準条件としてパワーＰ１、Ｐ２、Ｐ３を用いたときの例であり、各パワー値で得られたジッタ値を結ぶ仮想線が谷型のパターンとなる。このような谷型のパターンが得られたときは、ステップＳ１０で使用した基準メディアとステップＳ１６で装填した記録対象メディアとが同感度であり、記録特性が類似していることを意味する。
【００５８】
ここで、同図（ａ）は谷型パターンの最小値が閾値以下となる例であり、同図（ｂ）は谷型パターンの最小値が閾値以上となる例であり、いずれのパターンにおいても基準メディアと記録対象メディアは同感度と考えられる。このように、基準メディアと記録対象メディアが同感度であった場合は、後述するように、テスト記録で使用する条件は、基準条件を中心としたパワー×パルス幅の面領域で設定する。
【００５９】
ここで、同図（ａ）と（ｂ）とでは、各記録ポイントＰ１、Ｐ２、Ｐ３でそれぞれ得られた再生値と再生基準値との差分量、即ち、同図の例ではジッタ値とジッタ閾値との差分量が異なり、同図（ａ）の方が得られた再生値が再生基準値に近くなる。
【００６０】
このことは、同図（ａ）の方が同図（ｂ）よりも最適条件の発見が容易であると考えられるため、同図（ａ）の記録特性が得られたときの方が同図（ｂ）の記録特性が得られたときよりも、テスト回数を少なく設定し、より少ないテスト回数でより適した解を見出す構成としても良い。
【００６１】
即ち、再生値と再生基準値との差分量が少なかった場合は、最適条件が前述の基準条件に近くなり、再生値と再生基準値との差分量が多かった場合は、最適条件が前述の基準条件から遠くなるため、テスト回数をより少なくしたい場合には、再生値と再生基準値との差分量に応じてテスト回数を変化させることが望ましい。
【００６２】
図９は、図２のステップＳ２０で実行した記録品位検査の結果、右下がりのパターンが得られた例を示す概念図である。同図に示す例では、Ｐ１、Ｐ２、Ｐ３とパワーが上昇するにつれてジッタ値が下がってゆく右下がりのパターンとなる。このような右下がりのパターンが得られたときは、基準メディアよりも記録対象メディアの方が低感度であることを意味する。
【００６３】
ここで、同図（ａ）は右下がりパターンの最小値が閾値以下となる例であり、同図（ｂ）は右下がりパターンの最小値が閾値以上となる例であり、いずれのパターンにおいても基準メディアより記録対象メディアの方が低感度であると考えられる。このように、記録メディアの方が低感度であった場合は、後述するように、基準条件を中心としたパワー×パルス幅の面領域で区画されたテスト領域を高パワー、広パルス幅側にシフトさせてテスト記録を行う。
【００６４】
また、同図に示すような右下がりパターンが得られた場合は、ジッタの最小値がより高パワー側に存在すると考えられるため、Ｐ３よりも高パワーで追記を行って、再度記録特性を確認しても良い。この場合、記録回数は１回増えるが記録品位の検査精度を向上させることができる。尚、このパターンが得られた場合も、前述の谷型パターンが得られた場合と同様に、再生値と再生基準値との差分量に応じてテスト回数を変化させても良い。
【００６５】
また、同図に示すような右下がりパターンが得られた場合は、前述の図８に示した谷型のパターンよりも、最適解が基準条件から遠くなると考えられるため、谷型パターンの場合よりもテスト回数を増加させておくことが望ましい。
【００６６】
図１０は、図２のステップＳ２０で実行した記録品位検査の結果、右上がりのパターンが得られた例を示す概念図である。同図に示す例では、Ｐ１、Ｐ２、Ｐ３とパワーが上昇するにつれてジッタ値が上がってゆく右上がりのパターンとなる。このような右上がりのパターンが得られたときは、基準メディアよりも記録対象メディアの方が高感度であることを意味する。
【００６７】
ここで、同図（ａ）は右上がりパターンの最小値が閾値以下となる例であり、同図（ｂ）は右上がりパターンの最小値が閾値以上となる例であり、いずれのパターンにおいても基準メディアより記録対象メディアの方が高感度であると考えられる。このように、記録メディアの方が高感度であった場合は、後述するように、基準条件を中心としたパワー×パルス幅の面領域で区画されたテスト領域を低パワー、狭パルス幅側にシフトさせてテスト記録を行う。
【００６８】
また、同図に示すような右上がりパターンが得られた場合は、ジッタの最小値がより低パワー側に存在すると考えられるため、Ｐ１よりも低パワーで追記を行って、再度記録特性を確認しても良い。この場合、記録回数は１回増えるが記録品位の検査精度を向上させることができる。尚、このパターンが得られた場合も、前述の谷型パターンが得られた場合と同様に、再生値と再生基準値との差分量に応じてテスト回数を変化させても良い。
【００６９】
また、同図に示すような右上がりパターンが得られた場合は、前述の図８に示した谷型のパターンよりも、最適解が基準条件から遠くなると考えられるため、谷型パターンの場合よりもテスト回数を増加させておくことが望ましい。
【００７０】
（テスト領域の決定）
図１１は、図２のステップＳ２０で谷型パターンが得られた場合に、ステップＳ２２で実行されるテスト領域決定の一例を示す概念図である。同図に示すように、谷型パターンが得られた場合は、Ｐ１、Ｐ２、Ｐ３のそれぞれで得られたジッタ値が描く近似曲線１０６と閾値とのクロスポイントをテスト記録で使用するパワーの変化領域とし、この変化領域がパワーレンジとなる。尚、本発明においては、実際にテスト記録で使用するパワーの範囲を「パワーレンジ」と定義し、ジッタが閾値以下となるパワーの範囲を「パワーマージン」と定義する。
【００７１】
ここで、近似曲線１０６は、パルス幅ごとに異なるため、基準条件で用いたパルス幅をＷ４とすると、このＷ４を中心としたパルス幅Ｗ１〜Ｗ６のそれぞれに対して、パワーＰ１、Ｐ２、Ｐ３で記録し、その結果得られた近似曲線１０６と閾値とのクロスポイントを確認してゆく。これにより同図のマトリクスイメージに示すように、各パルス幅ごとに閾値以下となるパワーレンジが得られ、同図のハッチで示した領域がテスト領域となる。ここで、基準条件として使用したＰ１、Ｐ２、Ｐ３のパワー３条件と、パルス幅Ｗ４をマトリクス中のイメージで示すと、同図の１０８−１、１０８−２、１０８−３となり、決定されたテスト領域は、基準条件を中心としたパワー×パルス幅の面領域として設定される。
【００７２】
このように、パルス幅ごとにパワーレンジを求めることで、閾値以下となる領域を集中してテストすることができるため、少ないテスト回数でより適した条件を見出すことが可能になる。
【００７３】
尚、パワーマージンが広く取れた場合には、パワー変化のステップを大きめに設定し、パワーマージンが狭かった場合には、パワー変化のステップを小さく設定することでもテスト回数の低減を図ることができる。例えば、１０ｍＷのマージンが取れた場合には、ラフにテストしても最適値が得られるものと仮定して２ｍＷステップで５回のテストを行い、１ｍＷのマージンが取れた場合には、より精密なテストが必要と判断して０．１ｍＷステップで１０回テストするような構成も可能である。
【００７４】
図１２は、図２のステップＳ２０で右下がりパターンが得られた場合に、ステップＳ２２で実行されるテスト領域決定の一例を示す概念図である。同図に示すように、右下がりパターンが得られた場合は、最適条件がより高パワー側にあると考えられるため、Ｐ３よりも高いパワー値Ｐ＋で追加記録を行い、Ｐ１、Ｐ２、Ｐ３、Ｐ＋のそれぞれで得られたジッタ値が描く近似曲線１０６と閾値とのクロスポイントをパワーレンジとする。この処理をパルス幅Ｗ１〜Ｗ６のそれぞれで行って、同図のマトリクスイメージに示すようなテスト領域を得る。
【００７５】
ここで、上記の手順により決定されたテスト領域は、基準条件１０８−１、１０８−２、１０８−３を中心としたパワー×パルス幅の面領域が高パワー側にシフトされた形となる。この例では、谷型パターンで使用したＷ１〜Ｗ６をそのまま用いたが、右下がりパターンの場合は、低感度傾向にあるため、Ｗ１〜Ｗ６よりも広いパルス幅領域にシフトさせてパワーレンジを決めても良い。
【００７６】
図１３は、図２のステップＳ２０で右上がりパターンが得られた場合に、ステップＳ２２で実行されるテスト領域決定の一例を示す概念図である。同図に示すように、右上がりパターンが得られた場合は、最適条件がより低パワー側にあると考えられるため、Ｐ１よりも低いパワー値Ｐ＋で追加記録を行い、Ｐ＋、Ｐ１、Ｐ２、Ｐ３のそれぞれで得られたジッタ値が描く近似曲線１０６と閾値とのクロスポイントをパワーレンジとする。この処理をパルス幅Ｗ１〜Ｗ６のそれぞれで行って、同図のマトリクスイメージに示すようなテスト領域を得る。
【００７７】
ここで、上記の手順により決定されたテスト領域は、基準条件１０８−１、１０８−２、１０８−３を中心としたパワー×パルス幅の面領域が低パワー側にシフトされた形となる。この例でも谷型パターンで使用したＷ１〜Ｗ６をそのまま用いたが、右上がりパターンの場合は、高感度傾向にあるため、Ｗ１〜Ｗ６よりも狭いパルス幅領域にシフトさせてパワーレンジを決めても良い。
【００７８】
即ち、上述した手法では、各パルス幅ごとに記録品位の検査が行われ、その結果に基づいて、各パルス幅ごとにテスト回数が決定されるため、テスト回数の低減が期待できる。以上説明した記録品位の検査は、基準条件での記録によるジッタ変化をパターニングすることで行う例であり、より望ましくは、下記に示す８パターンを用いて行うことが推奨される。
【００７９】
図１４は、図２のステップＳ２０を８つのパターンを用いて実行する場合の例を示す図である。同図に示すように、パターン１は、谷型、右上がり、右下がり等のどのようなパターンであっても、ジッタの最大値が閾値以下となったときに適用されるパターンである。このパターンが得られたときは、基準メディアと同程度の感度であると見なすとともに、閾値以下となるマージンが広く取れると判断し、パワー条件を低パワー側と高パワー側のそれぞれに拡張する。即ち、このパターン１では、閾値近傍の値が取れていないため、低パワー側と高パワー側の両方に追加記録が行われることになる。
【００８０】
その後、この追加記録の結果得られたジッタ特性を曲線近似し、この近似曲線がジッタ閾値と交差する大小２点の間隔をパワーレンジの基準値とする。
【００８１】
さらに、このパターンが得られたときは、基準値±０．２Ｔのパルス幅領域をテスト領域として決定し、テスト記録時には、このテスト領域内を０．２Ｔごとに変化させて最適記録条件の検出を行う。尚、Ｔは記録ピットの単位時間長を示す。
【００８２】
ここで、基準値となるパルス幅をパルス条件１とし、拡張した２点をパルス条件２および３とすると、パターン１のパルス条件２および３は±０．２Ｔ拡張された後のパルス幅となる。このパルス幅の条件変更に伴って、テスト条件として使用するパワーレンジにも若干の変更を行う。
【００８３】
即ち、パルス幅を０．１Ｔ変更したときは、パワーレンジの基準値×（１−０．０５×１）ｍＷを当該パルス幅におけるパワーレンジとし、パルス幅を０．２Ｔ変更したときは、パワーレンジの基準値×（１−０．０５×２）ｍＷを当該パルス幅におけるパワーレンジとし、パルス幅を−０．１Ｔ変更したときは、パワーレンジの基準値×（１−０．０５×（−１））ｍＷを当該パルス幅におけるパワーレンジとする。
【００８４】
よって、このパターン１に該当した場合のテスト条件は下記の３セットとなる。
【００８５】
（１）パルス幅の基準値、パワーレンジの基準値
（２）パルス幅の基準値−０．２Ｔ、パワーレンジの基準値×（１−０．０５×(−２)）ｍＷ
（３）パルス幅の基準値＋０．２Ｔ、パワーレンジの基準値×（１−０．０５×（＋２））ｍＷ
尚、本発明では、上記（１）に示した基準条件は、実際のテスト記録で使用しなくても良い。
【００８６】
パターン２は、谷型パターンが得られた場合であって、ジッタの最小値が閾値以下であるときに適用されるパターンである。このパターンが得られた場合は、記録対象メディアが基準メディアと同感度であると判断し、基準値±０．１Ｔをパルス幅条件として選択する。その後、パターン１と同様の手順により、これらパルス条件ごとにパワーレンジの設定を行う。その結果、このパターン２に該当した場合のテスト条件は下記の３セットとなる。
【００８７】
（１）パルス幅の基準値、パワーレンジの基準値
（２）パルス幅の基準値−０．１Ｔ、パワーレンジの基準値×（１−０．０５×（−１））ｍＷ
（３）パルス幅の基準値＋０．１Ｔ、パワーレンジの基準値×（１−０．０５×（＋１））ｍＷ
パターン３は、谷型パターンが得られた場合であって、ジッタの最小値が閾値を超えたときに適用されるパターンである。このパターンが得られた場合は、記録対象メディアが基準メディアと同感度、かつメディアの素性差が大きいと判断し、基準値±０．２Ｔをパルス幅条件として選択する。その後、パターン１と同様の手順により、これらパルス条件ごとにパワーレンジの設定を行う。その結果、このパターン３に該当した場合のテスト条件は下記の３セットとなる。
【００８８】
（１）パルス幅の基準値、パワーレンジの基準値
（２）パルス幅の基準値−０．２Ｔ、パワーレンジの基準値×（１−０．０５×（−２））ｍＷ
（３）パルス幅の基準値＋０．２Ｔ、パワーレンジの基準値×（１−０．０５×（＋２））ｍＷ
パターン４は、右下がりパターンが得られた場合であって、ジッタの最小値が閾値以下であるときに適用されるパターンである。このパターンが得られた場合は、記録対象メディアが基準メディアよりやや低感度であると判断し、基準値、＋０．１Ｔおよび＋０．２Ｔの３点をパルス幅条件として選択する。その後、パターン１と同様の手順により、これらパルス条件ごとにパワーレンジの設定を行う。その結果、このパターン４に該当した場合のテスト条件は下記の３セットとなる。
【００８９】
（１）パルス幅の基準値、パワーレンジの基準値
（２）パルス幅の基準値＋０．１Ｔ、パワーレンジの基準値×（１−０．０５×（＋１））ｍＷ
（３）パルス幅の基準値＋０．２Ｔ、パワーレンジの基準値×（１−０．０５×（＋２））ｍＷ
パターン５は、右下がりパターンが得られた場合であって、ジッタの最小値が閾値を超えたときに適用されるパターンである。このパターンが得られた場合は、記録対象メディアが基準メディアよりかなり低感度であると判断し、基準値、＋０．２Ｔおよび＋０．４Ｔの３点をパルス幅条件として選択する。その後、パターン１と同様の手順により、これらパルス条件ごとにパワーレンジの設定を行う。その結果、このパターン５に該当した場合のテスト条件は下記の３セットとなる。
【００９０】
（１）パルス幅の基準値、パワーレンジの基準値
（２）パルス幅の基準値＋０．２Ｔ、パワーレンジの基準値×（１−０．０５×（＋２））ｍＷ
（３）パルス幅の基準値＋０．４Ｔ、パワーレンジの基準値×（１−０．０５×（＋４））ｍＷ
パターン６は、右上がりパターンが得られた場合であって、ジッタの最小値が閾値以下となったときに適用されるパターンである。このパターンが得られた場合は、記録対象メディアが基準メディアよりやや高感度であると判断し、基準値、−０．１Ｔおよび−０．２Ｔの３点をパルス幅条件として選択する。その後、パターン１と同様の手順により、これらパルス条件ごとにパワーレンジの設定を行う。その結果、このパターン６に該当した場合のテスト条件は下記の３セットとなる。
【００９１】
（１）パルス幅の基準値、パワーレンジの基準値
（２）パルス幅の基準値−０．１Ｔ、パワーレンジの基準値×（１−０．０５×（−１））ｍＷ
（３）パルス幅の基準値−０．２Ｔ、パワーレンジの基準値×（１−０．０５×（−２））ｍＷ
パターン７は、右上がりパターンが得られた場合であって、ジッタの最小値が閾値を超えたときに適用されるパターンである。このパターンが得られた場合は、記録対象メディアが基準メディアよりかなり高感度であると判断し、基準値、−０．２Ｔおよび−０．４Ｔの３点をパルス幅条件として選択する。その後、パターン１と同様の手順により、これらパルス条件ごとにパワーレンジの設定を行う。その結果、このパターン７に該当した場合のテスト条件は下記の３セットとなる。
【００９２】
（１）パルス幅の基準値、パワーレンジの基準値
（２）パルス幅の基準値−０．２Ｔ、パワーレンジの基準値×（１−０．０５×（−２））ｍＷ
（３）パルス幅の基準値−０．４Ｔ、パワーレンジの基準値×（１−０．０５×（−４））ｍＷ
パターン８は、山型パターンが得られた場合であって、ジッタの最大値が閾値を超えたときに適用されるパターンである。このパターンが得られた場合は、異常パターンであると判断し、基準値±０．２Ｔをパルス幅条件として選択する。その後、パターン１と同様の手順により、これらパルス条件ごとにパワーレンジの設定を行う。その結果、このパターン８に該当した場合のテスト条件は下記の３セットとなる。
【００９３】
（１）パルス幅の基準値、パワーレンジの基準値
（２）パルス幅の基準値−０．２Ｔ、パワーレンジの基準値×（１−０．０５×（−２））ｍＷ
（３）パルス幅の基準値＋０．２Ｔ、パワーレンジの基準値×（１−０．０５×（＋２））ｍＷ
尚、以上説明した８つのパターンのうち、基準メディアに最も近くなるパターン２以外のパターンが検出された場合は、再生誤動作によるものでないことを確認するために、このパターンの基になった記録結果を再度再生し、ジッタを再検出する構成としても良い。この場合、再度の再生によりパターン２以外の特性が検出された場合は、図１４に示す条件に従って、記録条件の追加と拡張を行えば良い。
【００９４】
ここで、上記再生誤動作の確認を行った結果、パターン８が検出された場合は、記録誤動作の可能性が考えられるため、追加記録およびパルス幅の拡張を行う前に、パルス幅の基準値で再度記録を行う。この再記録結果を再生してもパターン８となった場合は、追加記録、即ち、パルス条件１のマージン測定を行うためのパワー拡張は行わずに、パルス条件の拡張、即ち、パルス条件２および３の拡張を行う。これらパルス条件２および３の拡張に応じたパワーの拡張は前述の手法で行えば良い。
【００９５】
即ち、パターン８の場合、パルス条件１ではマージンが取れず、拡張の基準となるパワーレンジを求めることができないため、初期のパワー条件範囲を基準となるパワーレンジとして設定する。
【００９６】
（テスト領域の決定：近似法によるパワーレンジの決定）
前述の手順を実行することにより、少ないテスト回数で最適解を得るに有効なテスト領域が決定されるが、このテスト領域決定の際に重要となるパワーレンジの決定手法について以下説明を加える。
【００９７】
本発明では可能な限り少ないテスト回数で最適解発見の精度を上げたいため、閾値以下の領域にテスト条件を集中させることは前述したとおりである。この考え方に基づけば、テスト記録の際に使用されるパワーレンジは、閾値に対するマージンを示す大小２点のパワー値から求めればよいこととなる。ここで、閾値に対するマージンとは、その領域であれば、閾値以下の特性値が得られる幅を意味し、大小２点のパワー値とは、このマージンの幅を決める低パワー側の値と、高パワー側の値を意味する。
【００９８】
ここで、各種メディアのテスト記録時間の短縮およびライトワンスメディアのようにテスト記録領域に制限の有るメディアのテスト領域の効率化を考えると、テスト記録に要する記録ポイントはより少ないことが望ましいが、ここで求めるパワーレンジは、最適記録条件の判断基準となる重要なパラメータであるため、高精度であることが望まれる。
【００９９】
このパワーレンジを精度良く求めることは、より選択された領域の集中したテストを意味するため、テスト回数の低減にも寄与する。例えば、０．１ｍＷに１回の頻度でテスト記録を行う場合には、パワーレンジが１ｍＷだと１０回のテスト記録が行われ、２ｍＷだと２０回のテスト記録が行われるため、パワーレンジを絞ることがテスト回数の低減に寄与することになる。
【０１００】
そこで、本発明では、記録再生信号の記録品位が記録パワーに対して最適点を極値とする２次曲線的な変化を描くことに着目し、数点の記録ポイントを用いて特性曲線を近似算出することで、求めたいマージン量を得る手法を提唱する。このような近似手法を適用することにより、数点の記録ポイントでパワーレンジを高精度かつ容易に求めることが可能になり、テスト回数の低減が図られる。
【０１０１】
図１５は、図２のステップＳ２２で使用されるパワーレンジを曲線近似によって求める方法を説明した概念図である。同図に示すように、近似を行うにあたっては、まず、記録特性の判断基準とするジッタ値が閾値近傍となる低パワー側のａおよび高パワー側のｃの２点と、これらの間に位置し、かつ、これらａ、ｃおよび閾値のいずれの値よりも小さなジッタ値となるｂを選択する。即ち、ここで選択されるａ、ｂ、ｃは、下記の関係を有することになる。
【０１０２】
ａ＞ｂ、ｃ＞ｂ、閾値＞ｂ
ここで、上記の閾値近傍は、同図に示すように、閾値からある幅を持った上限値と下限値の間として定義し、望ましくは、上限値を閾値の４０％、下限値を閾値の５％に設定する。その後、これらａ，ｂ，ｃの値を２次関数で近似し、該２次関数と閾値がクロスする大小２点の差分をパワーレンジとする。尚、閾値近傍として定義する範囲は、−５％〜＋４０％や−１０％〜３０％等、記録ポイントの間隔等を考慮して適宜変更可能である。
【０１０３】
図１６は、図２のステップＳ２２で使用されるパワーレンジを曲線近似によって求める別の例を説明した概念図である。同図に示すように、Ａ、Ｂ、Ｃの３条件でのみでは、前述の「ａ＞ｂ、ｃ＞ｂ、閾値＞ｂ」の条件を満たす関係が得られなかった場合、高パワー側のＤを追記することで、閾値近傍の値を得ることが望ましい。
【０１０４】
さらに、同図に示すように、Ｂ＞Ｃの関係がある場合は、Ｂを用いずに、Ａ、Ｃ、Ｄの３点で近似式を算出することが望ましい。
【０１０５】
このとき記録ポイント３点と閾値の関係は、「Ａ＞Ｃ、Ｄ＞Ｃ、閾値＞Ｃ」となり、近似曲線を描くに適した関係となるため、３点近似で高精度な近似曲線を得ることができる。尚、Ｄに示した追加記録条件は、追記前の記録ポイントが示すＡ＞Ｂ、Ｂ＞Ｃおよび閾値によって決定すれば良い。
【０１０６】
また、図１５とは逆に、低パワー側に閾値近傍の値がなかった場合は、Ａより低パワー条件で追記を行えば良く、記録ポイントと閾値の関係によっては、適宜１点以上の記録条件を追加しても良い。
【０１０７】
また、追加記録条件で用いるパワーの範囲は、所定のパワーステップに対して一定の変化を持たせても良いし、予めパワーの変動に対するジッタ変動の関係を求めておき、その関係からパワー条件を設定しても良い。
【０１０８】
尚、上記記録条件の追加を行っても、パワーレンジを求めるに十分な記録ポイントが得られない場合は、上述と同様の手順により再度記録条件の追加を行って記録ポイントを変更する。
【０１０９】
また、ライトワンスメディアのようにテスト記録領域に制限のある場合や、膨大なテスト時間の使用を回避するため、上記再度記録条件の追加回数に上限値を持たせても良く、記録条件の追加によって記録パワーがレーザ出力値を超えないように、追記パワーの上限値を持たせておいても良い。
【０１１０】
また、上述の例では、３点近似によりパワーレンジを求めたが、最も閾値に近い２点を選択し、これら２点がそれぞれ示す大小２点のパワー値の差分よりパワーレンジを決定しても良い。
【０１１１】
その他、閾値近傍の２点を選択する手法としては、閾値をまたぐ大小２点が見つかるまでパワーを変化させて記録し、該記録した中で最も閾値に近い２点を選択しても、この２点をそのまま選択しても良い。この方法については以下詳細な説明を加える。
【０１１２】
（テスト領域の決定：サンプリングによるパワーレンジの決定）
図１７は、図２のステップＳ２２で使用されるパワーレンジをサンプリングによって求める例を説明した概念図である。同図に示す例では、前述した３点近似ではなく、閾値に近い値が得られるまでパワーを徐々に変化させて、閾値に近い大小２点のパワー値を基準にパワーレンジが求められる。
【０１１３】
つまり、同図に示すように、記録パワーをＰ１からＰ２、Ｐ３・・・と順に増加させて記録再生を行い、閾値以上の値が得られたパワー値Ｐ６まで記録再生を繰り返す。この処理のイメージをマトリクスで示すと、パワー変化はＰ１〜Ｐ６まで行うが、パワーレンジは、閾値に最も近い低パワー側のＰ２と高パワー側のＰ６との間となる。このように、閾値をまたぐ２点を選択することによってもパワーレンジを決定することができる。
【０１１４】
ここで、閾値に近い大小２点を選択する方法としては、下記のような形態を適宜選択して使用することができる。
【０１１５】
１）パワーマージンを成す大小２点を選択する方法、即ち、再生基準値を満たすパワー領域内であって、夫々再生基準値と最も近い２点を選択
２）パワーマージンのやや外にはなるが再生基準に最も近い２点を選択
３）低パワー側で再生基準値を跨ぐ大小２点を選択
４）高パワー側で再生基準値を跨ぐ大小２点を選択
５）低パワー側および高パワー側で再生基準値を跨ぐ形となる２点であって、夫々再生基準値と最も近い２点を選択
また、上記各手法により選択した２点を用いて記録特性を近似し、再生基準値と交差する大小２点を求めても良い。
【０１１６】
（テスト記録）
図１８は、図２に示したステップＳ２４のテスト記録で使用するパルスパターンの例を示す概念図である。同図（ａ）は、単一のパルスパターンで構成されたシングルパルスを用いる場合の例であり、同図（ｂ）は、複数のパルスパターンで構成されたマルチパルスを用いる場合の例である。同図に示すように、シングルパルス１０−１およびマルチパルス１０ー２は、パルスの先頭に配置された先頭パルス１２と、後端に配置された後端パルス１４とを具備し、メインパワーＰＷが示す高さで記録パルス全体のエネルギー量が規定され、先頭パルス幅Ｔｔｏｐが示す長さで記録ピット先端に与える初段のエネルギー量が規定される。尚、点線で示したＰＷＤは、エネルギー量の微調整に利用する領域であり、この部分については後述する。
【０１１７】
ここで、メインパワーＰＷは、記録パルス１０−１、１０ー２の中で最も高い値とすることが望ましく、先頭パルス幅Ｔｔｏｐは、３Ｔの長さを有する記録ピットに対応した幅を有し、この幅の記録パルスが最も出現確率が高く、記録品位への影響が大きいため、このＴｒｏｐをテスト記録で変化させることが望ましい。
【０１１８】
同図に示すように、シングルパルスとマルチパルスのいずれを用いる場合も、前述までのステップで決定したテストパワーの値をメインパワーＰＷとして使用し、テストパルスの幅を先頭パルス幅Ｔｔｏｐとして使用する。
【０１１９】
このようにして、メインパワーＰＷと先頭パルス幅Ｔｔｏｐを段階的に変化させながら図２のステップＳ１６で装填したメディアに対してテスト記録を行い、その結果形成された記録ピットを再生して各テスト条件ごとのジッタ値を得る。
【０１２０】
その後、さらに所定のピット−ランドパターンを用いた別のテスト記録を行い、記録パルスと記録ピットのズレ等の他の調整要因を検証し、一連のテスト記録を終了する。
【０１２１】
（記録条件の決定）
前述のテスト記録の結果、最小のジッタ値が得られたメインパワーＰＷと先頭パルス幅Ｔｔｏｐの値、並びに他の調整要因を調整するためのパラメータを決定し、これらの値を当該ドライブとメディアの組み合わせに適した記録条件とする。
【０１２２】
図１９は、図２のステップＳ２６で決定される他の調整要因の一例を示す概念図である。図１８と同様に、同図（ａ）は、単一のパルスパターンで構成されたシングルパルスを用いる場合の例であり、同図（ｂ）は、複数のパルスパターンで構成されたマルチパルスを用いる場合の例である。
【０１２３】
同図（ａ）に示すように、シングルパルス１０−１の場合には、他の調整要因として、先頭パルス１２と後端パルス１４との間に、メインパワーＰＷよりもＰＷＤだけ低い低パワー領域を設ける。この量を規定することで、記録ピットが涙型になることを防止する。同様に、マルチパルス１０−２の場合には、同図（ｂ）に示すように、先頭パルス１２と後端パルス１４との間に位置する中間パルスの幅Ｔｍｐを規定することで、記録ピットが涙型になることを防止する。
【０１２４】
図２０は、図２のステップＳ２６で決定される他の調整要因の一例を示す概念図である。図１８と同様に、同図（ａ）は、単一のパルスパターンで構成されたシングルパルスを用いる場合の例であり、同図（ｂ）は、複数のパルスパターンで構成されたマルチパルスを用いる場合の例である。
【０１２５】
同図に示すように、シングルパルス１０−１とマルチパルス１０−２のいずれの場合も、他の調整要因として、先頭パルス１２の開始位置を調整するＴｔｏｐｒを設定するとともに、後端パルス１４の終了位置を調整するＴｌａｓｔを設定する。これらの値を調整することで、記録後のピット長が適切な値となるパルスパターンを決定する。
【０１２６】
以上の手順で得られたメインパワーＰＷ、先頭パルス幅Ｔｔｏｐ、低パワー領域ＰＷＤ、先端パルス位置Ｔｔｏｐｒ、後端パルス位置Ｔｌａｓｔを図１に示したメモリ３８に格納し記録条件の決定を終了する。
【０１２７】
（情報の記録）
図１に示すＬＤコントローラ３６は、ドライブ２０の外部から入力された記録対象となる情報に対して、前述の工程でメモリ３８に格納された各種記録条件を基準に記録パルスを生成し、これをピックアップ３０に出力する。これにより、メディア１６に対する情報の記録が行われる。
【０１２８】
（テスト領域決定の他の形態）
以下、本発明の特徴部となるテスト領域決定の他の実施形態を説明する。
【０１２９】
図２１は、閾値を超える位置までをテスト領域とする例を示した概念図である。同図に示す例では、テスト記録の際に使用するパワーをＰ１、Ｐ２・・・の順に変化させてゆき、ジッタ値が閾値を超えたＰ６でテスト記録を終了する例である。このイメージをマトリクスで示すと、あるパルス幅に対してパワーをＰ１、Ｐ２、・・・Ｐ６と離散的に変化させ、その中で最もジッタ値の低いパワー値Ｐ４が記録条件１０４とする。この場合、パワーを変化させたＰ１〜Ｐ６がパワーレンジとなり、閾値以下の領域に近いＰ２〜Ｐ６がパワーマージンとなる。このように、閾値に達するまでをテスト領域とすることで、常時固定のパワー範囲をテストする手法に比べてテスト回数の低減が図られる。
【０１３０】
図２２は、パワーレンジの極が得られるまでをテスト領域とする例を示した概念図である。同図に示す例は、図２１に示した手順に加えてパルス幅を変化させ、各パルス幅ごとに得られたパワーレンジまたはパワーマージンの極を記録条件とする例である。この例では、パルス幅をＷ１、Ｗ２・・・と順次変化させながら、各パルス幅ごとに図２１に示した閾値に至るまでパワーを変化させる工程を実行し、パワーレンジまたはパワーマージンが最も大きくなるパルス幅Ｗ４が特定できるまでこの工程を繰り返す。
【０１３１】
パワーレンジまたはパワーマージンの極は、隣接するサンプル点の値の変化量を検証することで特定可能である。従って、パルス幅Ｗ４が極になる場合は１つ後ろのＷ５までテスト記録が行われることになる。ここで、パワーレンジおよびパワーマージンは、各パルス幅ごとに異なるため、同図のマトリクスイメージに示したように、テストされるハッチ領域はパルス幅ごとに異なることになる。
【０１３２】
パルス幅Ｗ４が極になる場合は、このＷ４の中で最もジッタ値の低いパワーＰ３とパルス幅Ｗ４が記録条件１０４となる。このように、図２１の工程に加えて、パルス幅を変化させることにより、少ないテスト回数でテスト領域をパルス幅方向に拡張することができる。
【０１３３】
図２３は、閾値近傍の２点間をパワーレンジとする例を示した概念図である。同図に示す例では、閾値に近い値が得られるまでパワーを徐々に変化させて、閾値に近い大小２点のパワー値を基準にパワーレンジを求める例である。この例の実行手順については、前述の図１７を用いた説明と同じであるため、ここでは説明を省略する。
【０１３４】
この例が前述の図２１に示した例と異なる点は、Ｐ２〜Ｐ６までのサンプリングポイントのみをテストするのではなく、パワーレンジの決定後、当該レンジ内をより微細なステップで変化させ、より適した条件を求めようとする点にある。
【０１３５】
図２４は、パワーレンジ内をより微細なステップで変化させた場合の例を示す概念図である。同図に示すように、図２３で決定したパワーレンジＰ２〜Ｐ６に対し、より微細なステップでパワーを変化させ、得られたジッタ値の中で最小の条件を記録条件１０４とする。このように、パワーレンジの中をより微細なステップで検査することにより、最適に近い値を見出すことができる。尚、この例では、Ｐ３とＰ４の間に最適点が発見された例を示している。
【０１３６】
図２５は、図２４の工程に加えてパワーレンジの極が得られるまでをテスト領域とする例を示した概念図である。同図に示す例は、図２４に示した手順に加えてパルス幅を変化させ、各パルス幅ごとに得られたパワーレンジまたはパワーマージンの極を記録条件とする例である。この考え方は、図２１に示した工程を図２２に適用する場合と同じであるため、ここでは説明を省略する。
【０１３７】
図２６は、閾値を超える位置までパルス幅を変更し、この変更範囲をテスト領域とする例を示した概念図である。同図に示す例では、テスト記録の際に使用するパルス幅をＷ１、Ｗ２・・・の順に変化させてゆき、ジッタ値が閾値を超えたＷ６でテスト記録を終了する例である。このイメージをマトリクスで示すと、パワーＰ１に対してパルス幅をＷ１、Ｗ２、・・・Ｗ６と順次変化させ、その中で最もジッタ値の低いパルス幅Ｗ４を記録条件１０４とする。この場合、パルス幅を変化させたＷ１〜Ｗ６がテストされるパルスレンジとなり、閾値以下の領域に近いＷ２〜Ｗ６がパルスマージンとなる。このように、閾値に達するまでをテスト領域とすることで、常時固定のパルス範囲をテストする手法に比べてテスト回数の低減が図られる。
【０１３８】
図２７は、パルスレンジの極が得られるまでをテスト領域とする例を示した概念図である。同図に示す例は、図２６に示した手順に加えてパワー値を変化させ、各パワー値ごとに得られたパルスレンジまたはパルスマージンの極を記録条件とする例である。この例では、パワー値をＰ１、Ｐ２・・・と順次変化させながら、各パワーごとに図２６に示した閾値に至るまでパルスを変化させる工程を実行し、パルスレンジまたはパルスマージンが最も大きくなるパワーＰ４が特定できるまでこの工程を繰り返す。
【０１３９】
パルスレンジまたはパルスマージンの極は、隣接するサンプル点の値の変化量を検証することで特定可能である。従って、パワーＰ４が極になる場合は１つ後ろのＰ５までテスト記録が行われることになる。ここで、パルスレンジおよびパルスマージンは、各パワーごとに異なるため、同図のマトリクスイメージに示したように、テストされるハッチ領域はパワーごとに異なることになる。
【０１４０】
パワーＰ４が極になる場合は、このＰ４の中で最もジッタ値の低いパルス幅Ｗ３とパワーＰ４が記録条件１０４となる。このように、図２６の工程に加えて、パワーを変化させることにより、少ないテスト回数でテスト領域をパワー方向に拡張することができる。
【０１４１】
図２８は、パルスレンジ内をより微細なステップで変化させた場合の例を示す概念図である。同図に示すように、図２７で特定したパルスレンジの極付近となるＰ３〜Ｐ５に対し、より微細なステップでパワーを変化させ、得られたジッタ値の中で最小の条件を記録条件１０４とする。このように、極付近のパワーをより微細なステップで検査することにより、最適に近い値を見出すことができる。尚、この例では、Ｐ３とＰ４の間に最適点が発見された例を示している。
【０１４２】
図２９は、図２１の工程に加えて最小ジッタの極が得られるまでをテスト領域とする例を示した概念図である。同図に示す例は、図２１に示した手順に加えてパルス幅を変化させ、各パルス幅ごとに得られたジッタの最小値の極を記録条件とする例である。この例では、パルス幅をＷ１、Ｗ２・・・と順次変化させながら、各パルス幅ごとに図２１に示した工程を実行し、該各工程で得られたジッタの最小値を比較しながら、その中でも最小のジッタ値となるパルス幅Ｗ４が特定できるまでこの工程を繰り返す。
【０１４３】
ジッタ最小値の極は、隣接するサンプル点の値の変化量を検証することで特定可能である。従って、パルス幅Ｗ４が極になる場合は１つ後ろのＷ５までテスト記録が行われることになる。ここで、ジッタの最小値は、各パルス幅ごとに異なるため、同図のマトリクスイメージに示したように、テストされるハッチ領域はパルス幅ごとに異なることになる。
【０１４４】
パルス幅Ｗ４が極になる場合は、このＷ４の中で最もジッタ値の低いパワーＰ３とパルス幅Ｗ４が記録条件１０４となる。このように、図２１の工程に加えて、ジッタ最小値の極を検出することによっても、少ないテスト回数でテスト領域をパルス幅方向に拡張することができる。
【０１４５】
図３０は、図２６の工程に加えて最小ジッタの極が得られるまでをテスト領域とする例を示した概念図である。同図に示す例は、図２６に示した手順に加えてパワーを変化させ、各パワーごとに得られたジッタの最小値の極を記録条件とする例である。この例では、パワーをＰ１、Ｐ２・・・と順次変化させながら、各パワーごとに図２６に示した工程を実行し、該各工程で得られたジッタの最小値を比較しながら、その中でも最小のジッタ値となるパワーＰ４が特定できるまでこの工程を繰り返す。
【０１４６】
ジッタ最小値の極は、隣接するサンプル点の値の変化量を検証することで特定可能である。従って、パワーＰ４が極になる場合は１つ後ろのＰ５までテスト記録が行われることになる。ここで、ジッタの最小値は、各パワーごとに異なるため、同図のマトリクスイメージに示したように、テストされるハッチ領域はパワーごとに異なることになる。
【０１４７】
パワーＰ４が極になる場合は、このＰ４の中で最もジッタ値の低いパルス幅Ｗ２とパワーＰ４が記録条件１０４となる。このように、図２６の工程に加えて、ジッタ最小値の極を検出することによっても、少ないテスト回数でテスト領域をパワー方向に拡張することができる。
【０１４８】
以上説明したように、本発明では、記録品位の検査結果に基づき、テスト記録で使用するパワーおよび／またはパルス幅を決定しているため、より少ない回数でより適した記録条件を得ることが可能になる。
【０１４９】
望ましくは、メディアの特性、ドライブの特性およびこれらの相性を考慮した実際の記録環境に近い形で記録品位の検査を行い、その結果に基づきテスト条件を決定することが推奨される。
【０１５０】
また、本発明では、テスト回数を変化させずに、記録品位の検査結果に応じてテスト領域をシフトさせる構成としても良く、例えば、前述した記録特性予測の結果が同感度、低感度、高感度であった場合、それぞれ、下記のような形態を取ることも可能である。
【０１５１】
（１）記録メディアが基準メディアと同感度であった場合
本予測の基になった基準の記録条件が最適条件に近いものと判断し、該基準の記録条件の周囲にパワーおよびパルス幅を所定の領域で拡張し、これをテスト領域として決定する。例えば、基準の記録条件がパワーＰ、パルス幅Ｗであったとすると、パワーのテスト範囲をＰ±５ｍＷ、パルス幅のテスト範囲をＷ±０．２Ｔとする。
【０１５２】
（２）記録メディアが基準メディアより低感度であった場合
記録メディアの最適値が基準メディアの最適値に対して、より多くの熱量が必要と判断し、より高パワー、広パルス幅側にテスト領域をシフトさせる。例えば、基準の記録条件がパワーＰ、パルス幅Ｗであったとすると、パワーのテスト範囲をＰ〜Ｐ＋１０ｍＷ、パルス幅のテスト範囲をＷ〜Ｗ＋０．４Ｔとする。
【０１５３】
（３）記録メディアが基準メディアより高感度であった場合
記録メディアの最適値が基準メディアの最適値に対して、より少ない熱量が適すると判断し、より低パワー、狭パルス幅側にテスト領域をシフトさせる。例えば、基準の記録条件がパワーＰ、パルス幅Ｗであったとすると、パワーのテスト範囲をＰ−１０ｍＷ〜Ｐ、パルス幅のテスト範囲をＷ−０．４Ｔ〜Ｗとする。
【０１５４】
即ち、上述の例では、パワーＰおよびパルス幅Ｗを中心として、パワーレンジが１０ｍＷ、パルスレンジが０．４の面で構成される領域を記録特性に応じてシフトさせることで、より適した記録条件を得ようとするものである。尚、このテスト領域の決定は、前述の図１４を用いた８つのパターニングに基づいて行っても良い。
【０１５５】
以下、記録マージンを活用して記録品位の検査を行う例について説明を加える。
【０１５６】
図３１は、本記録前に記録品位の検査を行う場合の実行例を示すフローチャートである。同図に示すように、まずは、パルス幅、記録パワー、記録再生速度、記録アドレス等の必要な記録条件を設定する（ステップＳ１０）。その後、この設定した記録条件毎にテスト記録および再生を行って（ステップＳ１２）、各条件におけるジッタ値を取得する（ステップＳ１４）。このステップＳ１０〜Ｓ１４の工程を記録条件の設定数に応じて繰り返し、複数のジッタ値を取得する。
【０１５７】
その後、得られたジッタ値を所定のジッタ閾値と比較し（ステップＳ１６）、所定の閾値を満たしている場合には、最適記録条件の決定工程を実行する（ステップＳ１８）。一方、所定の閾値を満たさない場合には、警告信号を発生し（ステップＳ２０）、この警告信号に応じた表示を行う（ステップＳ２２）。
【０１５８】
この警告信号の発生および表示は、ドライブ内部で行っても外部に接続された表示装置を用いて行っても良い。このとき、警告内容に応じた対処策を予めドライブ内に記憶させておき、警告を受けた後に自動的に所定の対処策を実行させる。
【０１５９】
また、警告内容に応じたエラーメッセージや対処策をユーザに報知し、ユーザ側に警告に対する処置を判断させるとともに、対処策の実行承認を要求することも可能である。対処策が警告内容に対して複数設定されている場合には、ユーザが希望する対処策の選択を求める（ステップＳ２６）。ユーザより対処策の承認および指定があった場合には、ドライブが該指定された対処策を実行する。
【０１６０】
次に、上記警告内容をドライブ内に設けられた記憶領域に格納し（ステップＳ２４）、同様な記録条件による警告信号の発生および対処策の実行が迅速に行われるよう配慮する。警告内容の記憶は、当該ドライブのＩＤ、記録対象となったメディアのＩＤ、記録条件、得られた品位等を関連づけておくことが望ましい。尚、警告内容の記憶は、ドライブ側で行っても、メディア側で行っても、両方で行っても良い。
【０１６１】
当該警告内容に対し、ユーザが条件の非変更を選択した場合は、記録動作を終了し、条件の変更を選択した場合は、再度ステップＳ１０の記録条件に変更を加えてテスト記録を行う。その後、ステップＳ１６で閾値を満たした記録条件の中から最適な記録条件を決定する。
【０１６２】
図３２は、本記録後に記録品位の検査を行う場合の実行例を示すフローチャートである。この場合は、まず、図３１に示したような手順によって、記録条件を設定し（ステップＳ３０）、この設定した記録条件でデータの記録を行う（ステップＳ３２）。そして、この記録中に記録速度をモニタし（ステップＳ３４）、所定の記録速度に達した場合には（ステップＳ３６でＹｅｓ）、記録動作を一時停止する（ステップＳ３８）。
【０１６３】
その後、所定のテスト記録領域を用いてテスト記録再生を行い、前述したような記録品位の検査を行う（ステップＳ４０）。この検査の結果に基づいて、当該記録速度における記録の適正を判断し（ステップＳ４２）、適正な記録が可能と判断した場合には、ステップＳ３２のデータ記録を再開する。一方、適正な記録が困難と判断した場合には、アラームを表示し（ステップＳ４４）、線速一定記録を実行する（ステップＳ４６）。
【０１６４】
以下、前述した警告信号を発するか否かの判断例について説明を加える。
【０１６５】
図３３は、テスト記録時の記録再生結果が所定の閾値を満たさなかった場合の例を示す概念図である。同図に示すように、３種類のパルス幅条件のぞれぞれに対して、パワーを変化させて記録し、その結果得られたジッタ特性１０２−１、１０２−２、１０２−３がジッタ閾値に満たなかった場合には、当該記録条件による記録が適正でないと判断して警告信号を発生する。
【０１６６】
図３４は、テスト記録時の記録再生結果が所定のマージン量を満たさなかった場合の例を示す概念図である。同図に示すように、３種類のパルス幅条件のぞれぞれに対して、パワーを変化させて記録し、その結果得られたジッタ特性１０２−１、１０２−２、１０２−３がジッタ閾値に達していたとしても、所定量α以上のマージン量を満たす記録条件がなかった場合には、当該記録条件による記録が適正でないと判断して警告信号を発生する。
【０１６７】
図３５は、パワーマージンαを満足するパルスマージンが所定量βを満たさなかった場合の例を示す概念図である。同図に示すように、所定のパワーマージンαを満たすパルス幅条件の変化に対して、所定量βのパルスマージンを満たさなかった場合には、当該記録条件による記録が適正でないと判断して警告信号を発生する。
【０１６８】
以下、パワーマージンがドライブの出力可能なパワー範囲で求められない場合のマージン量決定手法について説明を加える。ここで、ドライブの出力上限パワーをパワー上限と定義する。
【０１６９】
図３６は、ジッタ曲線とジッタ閾値とが交差する点と、ジッタ曲線とパワー上限とが交差する点との間隔をパワーマージンとした例を示す概念図である。同図に示すように、ジッタ曲線がパワー上限Ｐ５にかかり、パワーマージンの右端が測定できない場合には、最小ジッタ点がパワー上限以上の位置にあると予想される場合であっても、パワー上限をパワーマージンの右端とする。
【０１７０】
図３７は、図３６と同様のケースであって、最小ジッタ点がパワー上限よりも低パワー側に位置する場合の例を示す概念図である。このような場合も、当該ドライブで使用可能なパワー上限をパワーマージンの右端とする。
【０１７１】
図３８は、図３６と同様のケースであって、最小ジッタ点がパワー上限に位置する場合の例を示す概念図である。このような場合も、当該ドライブで使用可能なパワー上限をパワーマージンの右端とする。
【０１７２】
図３９は、図３６と同様のケースであって、パワー上限から所定量のマージンを設けた場合の例を示す概念図である。このように、記録条件の設定バラツキや測定バラツキ等の各種要因によって生じるバラツキ量σを見込んで、パワーマージンの右端を決定しても良い。尚、このバラツキ量σの考え方は、図３７および図３８のケースにも適用可能である。
【０１７３】
以下、本発明の変形例ついて説明を加える。
【０１７４】
前述したような警告信号を発生する場合、警告要因に応じた１つ以上の警告値を持たせることにより、適切な警告内容の伝達および適切な対処策をとることができる。ここでは、警告値のパターニング例を示す。
【０１７５】
記録パワーの不足、即ち、ドライブのレーザ出力上限値により、十分な記録マージンが得られないと判断した場合には、「警告値＝１」とし、以下の対策パターンを提供する。
【０１７６】
対処策１：記録速度を低下させて記録を行う。
【０１７７】
対処策２：記録パルス幅を変化(長く)させて記録を行う。
【０１７８】
対処策３：記録を中断する。
【０１７９】
メディア設計や機械特性等により、メディアの素性が悪いと判断した場合には、「警告値＝２」とし、以下の対策パターンを提供する。
【０１８０】
対処策１：記録速度を低下させて記録を行う。
【０１８１】
対処策２：記録を中断する。
【０１８２】
高速予測結果より、メディアの高速特性が悪いと判断した場合には、「警告値＝３」とし、以下の対策パターンを提供する。
【０１８３】
対処策１：許容範囲の記録速度を上限値として記録を行う。
【０１８４】
対処策２：記録を中断する。
【０１８５】
当該ドライブとメディアの組み合わせによる同条件において、過去に警告信号を発生した経緯がある場合には、「警告値＝４」とし、テスト記録前に警告信号を発生して、以下の対策パターンを提供する。
【０１８６】
対処策１：確認のテスト記録を行わずに過去の警告要因に応じた対処策を実行する。
【０１８７】
対処策２：確認のテスト記録を行い、該確認結果に応じた対処策を実行する。
【０１８８】
対処策３：記録を中断する。
【０１８９】
次に、警告内容の表示例について説明を加える。ここでは、上記警告信号の発生時に、その旨をユーザーに伝える場合、また対処策の実行にあたりユーザーの承諾あるいは指示を必要とする場合における警告内容の表記方法例を示す。
【０１９０】
表示例１： ドライブの動作ランプにて示す
動作ランプを点灯、点滅、消灯、特定の表示パターン等により、警告信号の発生を知らせる。ユーザーの承諾あるいは指示を必要とする場合は、モニター上にエラーコメント等を表示し、ユーザーからの応答を待つ。
【０１９１】
表示例２：モニター上にエラーコメント等を示す
モニター上にてユーザーに警告内容示し、ユーザーの承諾あるいは指示を必要とする場合は、ユーザーからの応答を待つ。
【０１９２】
表示例３>：トレイをオープンする
メディアを吐き出すことにより、ユーザーに警告を知らせる。ユーザーの承諾あるいは指示を必要とする場合は、モニター上にエラーコメント等を表示し、ユーザーからの応答を待つ。
【０１９３】
表示例４：警告音を出す
警告音を出すことにより、ユーザーに警告を知らせる。ユーザーの承諾あるいは指示を必要とする場合は、モニター上にエラーコメント等を表示し、ユーザーからの応答を待つ。
【産業上の利用可能性】
【０１９４】
本発明によれば、ドライブとメディアの組み合わせに応じて、より適した記録条件が設定されるため、従来手法では記録できなかった組み合わせへの対応が可能になる。その結果、高速記録や高密記録等の記録環境が厳しい記録システムへの適用が期待される。
【図面の簡単な説明】
【０１９５】
【図１】本発明に係る光情報記録媒体および光情報記録装置の全体構成を示すブロック図である。
【図２】本発明に係るドライブが実行する一連の手順を示すフローチャートである。
【図３】図２に示す基準閾値の決定ステップの詳細を示すフローチャートである。
【図４】図３に示したフローの一実施例を示す概念図である。
【図５】図３に示したフローの一実施例を示す概念図である。
【図６】ドライブごとに閾値を求める場合の例を示す概念図である。
【図７】数台のドライブで求めた閾値の平均を他のドライブの閾値として設定する場合の例を示す概念図である。
【図８】図２のステップＳ２０で実行した記録特性検査の結果、谷型パターンが得られた例を示す概念図である。
【図９】図２のステップＳ２０で実行した記録特性検査の結果、右下がりのパターンが得られた例を示す概念図である。
【図１０】図２のステップＳ２０で実行した記録特性検査の結果、右上がりのパターンが得られた例を示す概念図である。
【図１１】図２のステップＳ２０で谷型パターンが得られた場合に、ステップＳ２２で実行されるテスト領域決定の一例を示す概念図である。
【図１２】図２のステップＳ２０で右下がりパターンが得られた場合に、ステップＳ２２で実行されるテスト領域決定の一例を示す概念図である。
【図１３】図２のステップＳ２０で右上がりパターンが得られた場合に、ステップＳ２２で実行されるテスト領域決定の一例を示す概念図である。
【図１４】図２のステップＳ２０を８つのパターンを用いて実行する場合の例を示す図である。
【図１５】図２のステップＳ２２で使用されるパワーレンジを曲線近似によって求める方法を説明した概念図である。
【図１６】図２のステップＳ２２で使用されるパワーレンジを曲線近似によって求める別の例を説明した概念図である。
【図１７】図２のステップＳ２２で使用されるパワーレンジをサンプリングによって求める例を説明した概念図である。
【図１８】図２に示したステップＳ２４のテスト記録で使用するパルスパターンの例を示す概念図である。
【図１９】、図２のステップＳ２６で決定される他の調整要因の一例を示す概念図である。
【図２０】、図２のステップＳ２６で決定される他の調整要因の一例を示す概念図である。
【図２１】閾値を超える位置までをテスト領域とする例を示した概念図である。
【図２２】図２１の工程に加えてパワーレンジの極が得られるまでをテスト領域とする例を示した概念図である。
【図２３】閾値近傍の２点間をパワーレンジとする例を示した概念図である。
【図２４】パワーレンジ内をより微細なステップで変化させた場合の例を示す概念図である。
【図２５】図２４の工程に加えてパワーレンジの極が得られるまでをテスト領域とする例を示した概念図である。
【図２６】閾値を超える位置までパルス幅を変更し、この変更範囲をテスト領域とする例を示した概念図である。
【図２７】図２６の工程に加えてパルスレンジの極が得られるまでをテスト領域とする例を示した概念図である。
【図２８】パルスレンジ内をより微細なステップで変化させた場合の例を示す概念図である。
【図２９】図２１の工程に加えて最小ジッタの極が得られるまでをテスト領域とする例を示した概念図である。
【図３０】図２６の工程に加えて最小ジッタの極が得られるまでをテスト領域とする例を示した概念図である。
【図３１】本記録前に記録品位の検査を行う場合の実行例を示すフローチャートである。
【図３２】本記録後に記録品位の検査を行う場合の実行例を示すフローチャートである。
【図３３】テスト記録時の記録再生結果が所定の閾値を満たさなかった場合の例を示す概念図である。
【図３４】テスト記録時の記録再生結果が所定のマージン量を満たさなかった場合の例を示す概念図である。
【図３５】パワーマージンαを満足するパルスマージンが所定量βを満たさなかった場合の例を示す概念図である。
【図３６】ジッタ曲線とジッタ閾値とが交差する点と、ジッタ曲線とパワー上限とが交差する点との間隔をパワーマージンとした例を示す概念図である。
【図３７】図３６と同様のケースであって、最小ジッタ点がパワー上限よりも低パワー側に位置する場合の例を示す概念図である。
【図３８】図３６と同様のケースであって、最小ジッタ点がパワー上限に位置する場合の例を示す概念図である。
【図３９】図３６と同様のケースであって、パワー上限から所定量のマージンを設けた場合の例を示す概念図である。
【符号の説明】
【０１９６】
１０…記録パルス、１２…先頭パルス、１４…後端パルス、１６…メディア、１８…基準メディア、２０…ドライブ、３０…ピックアップ、３２…サーボ検出部、３４…ＲＦ検出部、３６…ＬＤコントローラ、３８…メモリ、４０…トラッキング制御部、４２…フォーカス制御部、１００…テスト領域、１０２…再生特性、１０４…記録条件、１０６…近似曲線、１０８…基準条件
【図１】
2005322304.tif 000003
【図２】
2005322304.tif 000004
【図３】
2005322304.tif 000005
【図４】
2005322304.tif 000006
【図５】
2005322304.tif 000007
【図６】
2005322304.tif 000008
【図７】
2005322304.tif 000009
【図８】
2005322304.tif 000010
【図９】
2005322304.tif 000011
【図１０】
2005322304.tif 000012
【図１１】
2005322304.tif 000013
【図１２】
2005322304.tif 000014
【図１３】
2005322304.tif 000015
【図１４】
2005322304.tif 000016
【図１５】
2005322304.tif 000017
【図１６】
2005322304.tif 000018
【図１７】
2005322304.tif 000019
【図１８】
2005322304.tif 000020
【図１９】
2005322304.tif 000021
【図２０】
2005322304.tif 000022
【図２１】
2005322304.tif 000023
【図２２】
2005322304.tif 000024
【図２３】
2005322304.tif 000025
【図２４】
2005322304.tif 000026
【図２５】
2005322304.tif 000027
【図２６】
2005322304.tif 000028
【図２７】
2005322304.tif 000029
【図２８】
2005322304.tif 000030
【図２９】
2005322304.tif 000031
【図３０】
2005322304.tif 000032
【図３１】
2005322304.tif 000033
【図３２】
2005322304.tif 000034
【図３３】
2005322304.tif 000035
【図３４】
2005322304.tif 000036
【図３５】
2005322304.tif 000037
【図３６】
2005322304.tif 000038
【図３７】
2005322304.tif 000039
【図３８】
2005322304.tif 000040
【図３９】
2005322304.tif 000041